(57)【特許請求の範囲】
【請求項１】
後方にあってモータを収容する駆動部と、前方にあって伝動装置を収容し、被加工材を加工する加工部を備えるヘッド部と、該駆動部と前記ヘッド部との間にあって前記モータの駆動力を前記加工部に伝動するための伝動軸を収容する把持部とを備えた携帯用電動工具において、前記モータに給電するバッテリーを備え、当該バッテリーを前記モータが収容される駆動部の下方に隣接すると共に前記把持部の後方端部に隣接して配置し、前記バッテリーの底面および前記把持部が、その前方を下方に向けて傾斜しており、前記駆動部の下方に設けられるバッテリー装着部は、前記バッテリーの底面と平行に形成されていることを特徴とするバッテリー式携帯用電動工具。
【請求項２】
前記モータが収容される駆動部の後方端面に、制御基板を備えた操作パネルを保護するバンパーを設けたことを特徴とする請求項１に記載のバッテリー式携帯用電動工具。
【発明の詳細な説明】
【技術分野】
【０００１】
本発明は、モータに給電するバッテリーを備えたバッテリー式携帯用電動工具に関するものである。
【背景技術】
【０００２】
従来、バッテリー式携帯用電動工具としては、下記特許文献１に記載のように、把持部内にモータを収容し、このモータに給電するＤＣ電源部（バッテリー）を把持部の延長線上の後方端部に備えた技術が知られている。しかし、この種のバッテリー式携帯用電動工具は、把持部にモータを収容しているため、把持部がかなり太くなり片手で確実に把持することが困難となり、そのため作業時の操作性が悪いという欠点があった。
【０００３】
一方、携帯用電動工具として、下記特許文献２に記載のように、把持の容易さや、作業時の操作性をよくするために、ハウジングの後方にモータを収容する駆動部を配置し、ハウジングの前方にモータからの駆動力を伝達する伝動装置を収容するとともに被加工材を加工する加工部を有するヘッド部を配置し、前記駆動部とヘッド部との間にモータと伝動装置を伝動連結する伝動軸を収容した把持部とを配置した技術が提案されている。
【特許文献１】実開平４−１０２７８３号公報
【特許文献２】実開昭６０−１０３６４２号公報
【発明の開示】
【発明が解決しようとする課題】
【０００４】
しかし、上記特許文献１と特許文献２の技術からすると、把持することの困難さは改善されるものの、作業者がバッテリー式携帯用電動工具を把持した時の重量バランスの支点(モーメントの支点）となる把持部の前方に設けられたヘッド部の重量に対し、後方に設けられた駆動部とバッテリーとの合計重量が大きくなり、前後の重量バランスが悪くなるため、把持する手や腕に作業のためにこの種工具に作用させる力以外に、この種工具をバランスよく把持するための余分な力を作用させなければならなくなる。このため、作業時の操作性が悪くなり、手や腕の疲労が大きくなるなどの問題があった。
【０００５】
そこで、本発明は、把持のし易さを確保したうえで、操作性がよく、疲れにくいバッテリー式携帯用電動工具を提供することを目的とする。
【課題を解決するための手段】
【０００６】
本発明のバッテリー式携帯用電動工具は、後方にあってモータを収容する駆動部と、前方にあって伝動装置を収容し、被加工材を加工する加工部を備えるヘッド部と、該駆動部と前記ヘッド部との間にあって前記モータの駆動力を前記加工部に伝動するための伝動軸を収容する把持部とを備えた携帯用電動工具において、前記モータに給電するバッテリーを備え、当該バッテリーを前記モータが収容される駆動部の下方に隣接すると共に前記把持部の後方端部に隣接して配置し、前記バッテリーの底面および前記把持部が、その前方を下方に向けて傾斜しており、前記駆動部の下方に設けられるバッテリー装着部は、前記バッテリーの底面と平行に形成されていることを特徴とする。
【０００７】
上記構成において、モータに給電するバッテリーを前記モータが収容される駆動部の下方に隣接して配置したことにより、バッテリーがより把持部近くに位置することとなり、把持部を当該工具の重量バランスの支点（モーメントの支点）としたときの前後の重量バランスがよくなり、被加工材の加工作業においても当該工具の重量バランスをとるための余分な力を掛ける必要がなくなるため、操作性がよくなり、疲労も減少する。
【０００９】
また、上記構成において、バッテリーを、前記モータが収容される駆動部の下方に隣接して配置するとともに、前記把持部の後方端部に隣接して配置したことにより、当該工具の前後の重量バランスがよりよくなるため、操作性がよりよくなり、疲労もより減少する。
【００１２】
本発明のバッテリー式携帯用電動工具では、前記モータが収容される駆動部の後方端面に、制御基板を備えた操作パネルを保護するバンパーを設けたことを特徴とする。
【００１３】
上記構成において、モータが収容される駆動部の後方端面には、制御基板を備えた操作パネルを保護するバンパーを設けたことにより、当該工具が後方より落下した場合や、作業中、当該工具の後方端部が障害物に衝突した場合において、バンパーがまず先に床や障害物に衝突し、操作パネルを破損から防ぐことができる。
【発明の効果】
【００１４】
本発明のバッテリー式携帯用電動工具は、モータに給電するバッテリーを前記モータが収容される駆動部の下方に隣接して配置した構成としたので、把持部を当該工具の重量バランスの支点（モーメントの支点）としたときの前後の重量バランスがよくなるため、操作性がよくなり、疲労が減少する。
【発明を実施するための最良の形態】
【００１５】
以下本発明の実施形態に係るバッテリー式携帯用電動工具を図面にもとづいて説明する。図１は本発明のバッテリー式携帯用電動工具の一種であるレシプロソーの正面断面図、図２は図１の左側面図である。
【００１６】
図１に示すように、バッテリー式携帯用電動工具の一種であるレシプロソー１は、後方においてモータ２を収容する駆動部３と、前方において被加工材（図示せず）を加工する加工部４を備えるヘッド部５と、駆動部３とヘッド部５との間に配置され、モータ２の駆動力を加工部４に伝動するための伝動軸６を収容した把持部７とを備えている。
【００１７】
図２に示すように、前記レシプロソー１は、２つ割りのハウジング１０を備える。すなわち、一方の半割部材の端面と他方の半割部材の端面とを突き合わせて図示していない止ネジによって締め付けて一体化している。
【００１８】
前記駆動部３は、ハウジング１０の後方側である後方本体部１７と、この後方本体部１７に収容される前記モータ２などを備えている。図１に示すように、モータ２は後方本体部１７の上下方向略中心に配置され、且つ図２に示す左右方向の幅の中心に配置されている。モータ２のモータ軸２０は、前後の軸受２１、２２を介して後方本体部１７に回転自在に支持されている。
【００１９】
前記把持部７は、後方本体部１７の前方側に形成されたハウジング１０の把持体部２５と、この把持体部２５に収容され前記モータ２のモータ軸２０と同軸に配置された前記伝動軸６と、モータ２の駆動をオン・オフ操作するためのトリガー式のスイッチ２６とを備えている。
【００２０】
前記伝動軸６は、把持体部２５の図２中、左右方向中心線上に配置され、モータ２のモータ軸２０と連結スリーブ２７を介して同一軸心上で連結されている。伝動軸６の先端部は前記ヘッド部５に備えられた軸受２４を介して回転自在に支持されている。さらに、伝動軸６の先端部には、ベベルギアからなる駆動ギア６０が設けられ、この駆動ギア６０によりヘッド部５内に収容された従動ギア６１にモータ２の駆動力を伝達している。
【００２１】
前記把持体部２５は後方本体部１７に連続する連続曲面部２９を有し、この連続曲面部２９は、図１に示すように、前方に向けて後方本体部１７から順次縮小する曲面で形成されている。さらに、把持体部２５は、後方本体部１７の先端部から前方に向けて下方に傾斜している。一方伝動軸６は把持体部２５内に水平に支持されている。この把持体部２５の前部の下方には、前記スイッチ２６が収容されている。
【００２２】
前記ヘッド部５は、ハウジング１０の把持体部２５のさらに前方に図示していないネジで固定された前方本体部３３と、この前方本体部３３の下部に配置され、さらに前方に突出するように設けられ鋸刃を形成した加工具３５からなる加工部４とから構成されている。さらに、前記前方本体部３３には、前記伝動軸６の先端に設けられた駆動ギヤ６０を介して回転駆動力を伝達するための従動ギア６１などからなる伝動装置３６と、回転運動を水平往復運動に変える往復動機構３７とを備えている。この往復動機構３７には、加工具３５を水平往復動自在に案内する往復動軸３８を備えている。この往復動軸３８の先端には加工具３５の基部３５ａが連結され、前記モータ２の駆動により、加工具３５が伝動装置３６および往復動機構３７を介して水平方向に往復運動する構成になっている。
【００２３】
前記駆動部３を構成する後方本体部１７の下方には、バッテリー装着部１７ａが設けられている。このバッテリー装着部１７ａは、後方本体部１７内に収容されたモータ２に可能な限り隣接し、さらに、その先端位置は、把持部７を構成する前記把持体部２５の後端に形成された連続曲面部２９の曲面に接して設けられている。このバッテリー装着部１７ａには内部に複数の図示していない蓄電池を備えたバッテリー１８が着脱可能に装着されている。なお、本実施形態では、上記バッテリー装着部１７ａの先端位置を連続曲面部２９の曲面にほぼ接して設けたが、多少は前後に離れた位置であってもよい。
【００２４】
このような位置にバッテリー１８を備えたので、バッテリー１８の重心位置が、図１中、前後方向、および上下方向において作業者が把持する把持体部２５からなる把持部７により近い位置となり、把持部７の前方に配置されたヘッド５に対し、後方に駆動部３とバッテリー１８とを配置しても、把持部７を中心とする前後の重量バランスをとることが可能となった。そのため重量物であるバッテリー１８を把持部７の後方に配置したにもかかわらず、把持体部２５を把持した時の把持部７を中心（支点）とする、この種工具を、図１中、上下方向に回転させようとするモーメントがなくなるか、少なくとも減少する。
【００２５】
このため、一般的に作業者がこの種工具を把持したときに重量バランスを取るための力、例えば、工具の後部の重量が前部の重量に比べ重い場合、工具を水平にするために工具の前部を下方に押える力を掛ける必要があるが、本発明においては、こうした重量バランスを取るための力が必要なくなる。従って、加工具３５を被加工材に押し付ける力が小さくてすみ、操作性がよくなり、長時間使用しても手や腕の疲労が減少する。
【００２６】
さらに、上記位置にバッテリー１８を備えたので、この種工具の全長が短くなり、狭い場所での作業が容易となるし、バッテリー１８が作業者の体に当たりにくくなり、より操作性がよくなる。
【００２７】
上記バッテリー装着部１７ａは、上記加工具３５を往復動自在に案内する往復動軸３８に対し前方を下方に傾斜させて設けられている。本実施形態では把持体部２５の傾斜とほぼ等しい角度である１０度に傾斜している。このため、このバッテリー装着部１７ａに装着された上記バッテリー１８の底面１８ａも、上記往復動軸３８に対し前方を下方に傾斜している。
【００２８】
上記バッテリー１８の底面１８ａが上記往復動軸３８に対し前方を下方に傾斜することで、この種工具のバッテリー１８の底面１８ａを床面に載せたとき、加工具３５がより床面から離れることになり、誤って加工具３５が床面に接し、床面を傷つけるという恐れが少なくなる。なお、本実施形態では、バッテリー装着部１７ａを傾斜させてバッテリー１８の底面１８ａを傾斜させたが、バッテリー装着部１７ａは上記往復動軸３８と平行とし、バッテリー１８の底面１８ａ自体を傾斜させてもよい。
【００２９】
さらに本実施形態では、図１、図２に示すように、上記駆動部３を構成する後方本体部１７の後端面１７ｂの上側を、前方に向けて傾斜させ、この傾斜した後端面１７ｂに制御基板５０を備えた操作パネル５１をほぼ同一面上に設けている。この操作パネル５１には、照明装置をオン・オフするためのスイッチとバッテリー１８の電池の残量を表示する表示部が設けられている。なお、操作パネル５１は、前方に向けて傾斜して設けられているので、この種工具を作業者が把持した状態で見易く、操作し易くなっている。
【００３０】
上記操作パネル５１の下方であって後方本体部１７の後端面１７ｂの下端には、この後端面１７ｂからさらに後方に突出するバンパー１７ｃを一体に形成している。このバンパー１７ｃの長さは、図２に示すように、上記操作パネル５１の左右方向の幅より長く後方本体部１７の後端面１７ｂの左右方向の幅にほぼ一杯に形成されている。
【００３１】
このため、この種工具が後方から床面に落下などした場合でも、バンパー１７ｃが先に床面などに衝突し、後方本体部１７の後端面１７ｂに設けられた操作パネル５１や制御基板５０などを破損から防ぐことができる。
【００３２】
上記実施形態ではバンパー１７ｃを後方本体部１７に一体に形成したが、鋼材などからなる別部材のバンパーをネジ等で固定してもよく、さらにバンパーの一部或いは全部をゴムや軟質樹脂などの衝撃吸収材で覆ってもよい。
【産業上の利用可能性】
【００３３】
上記実施形態では、本発明を鋸刃により被加工材を切削するレシプロソーに採用したが、これに限定されるものでなく、携帯用グラインダ、携帯用サンダ、インパクトドライバ、アングルドリルなどにも適用できる。
【図面の簡単な説明】
【００３４】
【図１】本発明の実施形態を示すレシプロソーの正面断面図。
【図２】図１の左側面図。
【符号の説明】
【００３５】
２      モータ
３      駆動部
４      加工部
５      ヘッド部
６      伝動軸
７      把持部
１０    ハウジング
１７    後方本体部
１７ｃ  バンパー
１８    バッテリー
２５    把持体部
３５    加工具
３６    伝動装置
【図１】
0005314921.tif 000002
【図２】
0005314921.tif 000003